(57)【特許請求の範囲】
【請求項１】
隣り合う２つの屋根小梁に架け渡された状態でアンカーボルト支持材が取り付けられ、屋根面から上方に突出した状態でアンカーボルトが前記アンカーボルト支持材により支持されている屋根構造であって、
前記屋根小梁の上方には、前記屋根面の防水のための屋根防水シートが設置され、該屋根防水シートの一部に、前記２つの屋根小梁に跨るようにシート開口部が設けられており、
前記アンカーボルト支持材は、前記２つの屋根小梁の並び方向に沿って延びる一対の起立部と、これら起立部の間において該アンカーボルト支持材を上下に貫通する複数のボルト孔とを有しており、前記シート開口部において前記２つの屋根小梁の上に設けられており、
前記アンカーボルトには、該アンカーボルトから径方向外側に突出したボルトフランジ部が設けられており、
前記シート開口部及び前記アンカーボルト支持材を上方から覆う補填防水シートが前記屋根防水シートに接合されており、
前記アンカーボルトは、前記補填防水シートを貫通し且つ前記複数のボルト孔のいずれかに挿通された状態で、前記アンカーボルト支持材に対して固定されており、
前記ボルトフランジ部は、前記補填防水シートを介して前記一対の起立部の上に架け渡されていることを特徴とする建物の屋根構造。
【請求項２】
前記屋根小梁と前記屋根防水シートとの間には屋根断熱材が設けられ、前記屋根断熱材における前記シート開口部の下方部分には断熱開口部が前記２つの屋根小梁に跨るように設けられており、
前記アンカーボルト支持材は、前記断熱開口部において前記屋根小梁の上に配置されており、
前記断熱開口部には、前記断熱開口部を塞ぐ補填断熱材が、前記一対の起立部の間において前記アンカーボルト支持材の上に設けられており、
前記アンカーボルトは、前記補填防水シートに加えて前記補填断熱材を貫通した状態で、前記アンカーボルト支持材に対して固定されていることを特徴とする請求項１に記載の建物の屋根構造。
【請求項３】
前記アンカーボルト支持材は、前記２つの屋根小梁に架け渡された方向に延びる長尺状をなし、前記複数のボルト孔が前記アンカーボルト支持材の長手方向に並べて配置されていることを特徴とする請求項１又は２に記載の建物の屋根構造。
【請求項４】
前記アンカーボルト支持材が前記２つの屋根小梁のうち一方に対して位置合わせされることで、前記複数のボルト孔の少なくとも１つが前記２つの屋根小梁の略中央に配置される構成であることを特徴とする請求項１乃至３のいずれか１項に記載の建物の屋根構造。
【請求項５】
前記補填防水シートには、前記アンカーボルトを挿通させるための補填貫通孔が設けられており、
前記補填貫通孔は、前記複数のボルト孔のそれぞれと上下に並べて配置されていることを特徴とする請求項１乃至４のいずれか１項に記載の建物の屋根構造。
【請求項６】
前記アンカーボルトには、前記ボルトフランジ部の下面に沿って延びるボルト防水シートが設けられており、
前記補填貫通孔に前記アンカーボルトが挿通された状態で、前記補填貫通孔は前記ボルト防水シートにより上方から覆われているとともに、前記ボルト防水シートは前記補填防水シートと前記ボルトフランジ部との間に挟まれていることを特徴とする請求項５に記載の建物の屋根構造。
【請求項７】
前記アンカーボルト支持材は、前記２つの屋根小梁に架け渡された方向に延びる長尺状をなし、
前記一対の起立部は、前記アンカーボルト支持材の長辺側の両端部に沿ってそれぞれ延びていることを特徴とする請求項６に記載の建物の屋根構造。
【請求項８】
前記補填貫通孔は、前記複数のボルト孔に跨るように配置された長孔であることを特徴とする請求項５乃至７のいずれか１項に記載の建物の屋根構造。
【発明の詳細な説明】
【技術分野】
【０００１】
本発明は、建物の屋根構造に関するものである。
【背景技術】
【０００２】
住宅等の建物の屋根に太陽光パネル等の建物設備が設置されている場合、その建物設備を固定するためのアンカーボルトが屋根に取り付けられていることがある。例えば、アンカーボルトを支持するアンカーボルト支持材が屋根小梁に固定されている構成がある。特に、特許文献１の図１によれば、複数の屋根小梁（補助棧材）のそれぞれに対してアンカーボルト支持材（受け金物）が個別に取り付けられた構成が開示されている。
【先行技術文献】
【特許文献】
【０００３】
【特許文献１】特開２００８−１９０２３５号公報
【発明の概要】
【発明が解決しようとする課題】
【０００４】
ここで、アンカーボルトは建物設備を屋根小梁に対して固定するものであり、建物設備による荷重はアンカーボルトを介して屋根小梁に加えられることになる。したがって、新築の建物においては、建物設備から屋根小梁に加えられる荷重に耐えうる支持強度を有する部材が屋根小梁として使用されることになる。しかしながら、既設の建物の屋根に新たに建物設備を設置する場合、屋根小梁の支持強度を高めるには屋根小梁の増強や取り換えを行うことが考えられるが、これらは大掛かりな工事を要するため現実的ではない。
【０００５】
本発明は、アンカーボルトがアンカーボルト支持材を介して屋根小梁に固定されている構成において、屋根小梁の強度変更を行わなくても、屋根上に設置される建物設備に対する屋根の耐荷重強度を高めることができる建物の屋根構造を提供することを主たる目的とする。
【課題を解決するための手段】
【０００６】
上記課題を解決するために、第１の発明の建物の屋根構造は、屋根小梁にアンカーボルト支持材が取り付けられ、屋根面から上方に突出した状態でアンカーボルトが前記アンカーボルト支持材により支持されている屋根構造であって、前記屋根小梁の上方には、前記屋根面の防水のための屋根防水シートが設置され、該屋根防水シートの一部にシート開口部が設けられており、前記シート開口部は、前記複数の屋根小梁のうち隣り合う２つの屋根小梁に跨るように配置されており、前記アンカーボルト支持材は、前記２つの屋根小梁に架け渡された状態で前記シート開口部に設けられ、該アンカーボルト支持材を上下に貫通する複数のボルト孔を有しており、前記アンカーボルトは、前記複数のボルト孔のいずれかに挿通された状態で前記アンカーボルト支持材に対して固定されており、前記シート開口部及び前記アンカーボルト支持材を上方から覆う補填防水シートが前記屋根防水シートに接合されていることを特徴とする。
【０００７】
第１の発明によれば、アンカーボルト支持材が２つの屋根小梁に跨った状態とされているため、太陽光パネル等の建物設備によりアンカーボルトに加えられる荷重を２つの屋根小梁に分散させることができる。
【０００８】
ここで、アンカーボルト支持材を２つの屋根小梁に架け渡した状態で設置する場合、アンカーボルト支持材の長さは屋根小梁同士の離間距離（ピッチ）を考慮したものとされる。しかし、屋根小梁のピッチは建物ごとに異なったり、１つの建物の屋根でも場所で異なったりする。また、２つの屋根小梁の離間距離に対して余剰長さを有するアンカーボルト支持材を取り付ける場合、アンカーボルト支持材の一端側を一方の屋根小梁に合わせて配置することもある。この点、第１の発明では、アンカーボルト支持材に複数のボルト孔が設けられているため、２つの屋根小梁の略中央にあるボルト孔に対してアンカーボルトが固定されることにより、各屋根小梁に加えられる荷重を均等にすることができる。この場合、片方の屋根小梁に加えられる荷重が、アンカーボルトに加えられる荷重よりも小さくされるため、屋根小梁の強度変更を行わなくても、屋根上に設置される建物設備に対する屋根の耐荷重強度を高めることができる。
【０００９】
第２の発明では、前記アンカーボルト支持材は、前記２つの屋根小梁に架け渡された方向に延びる長尺状をなし、前記複数のボルト孔が前記アンカーボルト支持材の長手方向に並べて配置されている。
【００１０】
第２の発明によれば、複数のボルト孔がアンカーボルト支持材の架け渡された方向に並んでいる。この場合、２つの屋根小梁の離間距離に合わせていずれかのボルト孔をアンカーボルトの固定先として選択することにより、アンカーボルトを２つの屋根小梁の中央に配置できる。この場合、アンカーボルトに加えられる荷重を２つの屋根小梁に均等に分割できるため、屋根小梁に加えられる荷重の低減を図ることができる。
【００１１】
第３の発明では、前記アンカーボルト支持材が前記２つの屋根小梁のうち一方に対して位置合わせされることで、前記複数のボルト孔の少なくとも１つが前記２つの屋根小梁の略中央に配置される構成である。
【００１２】
２つの屋根小梁の間においてアンカーボルトが一方の屋根小梁寄りに配置されている場合、建物設備からの荷重が一方の屋根小梁に偏って加えられてしまい、屋根の耐荷重強度を高めることができないことが懸念される。この点、第３の発明によれば、アンカーボルトが２つの屋根小梁の中央に配置されているため、荷重が一方の屋根小梁に偏って加えられることを回避できる。つまり、上記懸念を解消できる。
【００１３】
第４の発明では、前記補填防水シートには、前記アンカーボルトを挿通させるための補填貫通孔が設けられており、前記補填貫通孔は、前記複数のボルト孔のそれぞれと上下に並べて配置されている。
【００１４】
第４の発明によれば、アンカーボルトの固定先が複数のボルト孔のいずれであっても、アンカーボルトが補填貫通孔を通じて補填防水シートの上方に突出する構成を実現できる。したがって、補填防水シートの敷設作業に際して、アンカーボルトの固定位置に合わせて補填防水シートに孔を形成するという手間を省くことができる。これにより、補填防水シートの敷設作業の容易化を図ることができる。
【００１５】
第５の発明では、前記アンカーボルトには、該アンカーボルトから径方向外側に突出したボルトフランジ部と、前記ボルトフランジ部の下面に沿って延びるボルト防水シートとが設けられており、前記補填貫通孔に前記アンカーボルトが挿通された状態で、前記補填貫通孔は前記ボルト防水シートにより上方から覆われているとともに、前記ボルト防水シートは前記補填防水シートと前記ボルトフランジ部との間に挟まれている。
【００１６】
第５の発明によれば、補填貫通孔におけるアンカーボルトが貫通していない部分がボルト防水シートにより覆われているため、アンカーボルトの固定先が複数のボルト孔のいずれであっても、補填貫通孔に水が浸入することを防止できる。しかも、ボルト孔へのアンカーボルトの取り付けに伴ってボルト防水シートを補填防水シートに取り付けることが可能であるため、ボルト防水シートの取り付け作業を容易化できる。
【００１７】
第６の発明では、前記アンカーボルト支持材は、前記２つの屋根小梁に架け渡された方向に延びる長尺状をなし、その長辺側の両端部に沿ってそれぞれ延びて互いに対向する一対の起立部を有しており、前記ボルトフランジ部は、前記一対の起立部の上に架け渡された状態とされている。
【００１８】
第６の発明によれば、起立部によりアンカーボルト支持材の剛性を高めることができる。つまり、２つの屋根小梁に架け渡された状態のアンカーボルト支持材の支持強度を高めることができる。しかも、一対の起立部によりボルトフランジ部が下方から支持されているため、ボルトフランジ部を屋根面と平行な状態で保持できる。したがって、ボルトフランジ部が屋根面に対して傾くことを、そのボルトフランジ部を各起立部の上に載せるという簡易な作業により抑制できる。
【００１９】
第７の発明では、前記補填貫通孔は、前記複数のボルト孔に跨るように配置された長孔である。
【００２０】
第７の発明によれば、アンカーボルトは、その固定先が複数のボルト孔のいずれであっても１つの補填貫通孔に挿通されることになる。このため、補填貫通孔を例えばボルト防水シートにより塞ぐ作業を行う際に、補填貫通孔が各ボルト孔に対応させて複数設けられている場合とは異なり、アンカーボルトが固定されていないボルト孔の上方において補填貫通孔を塞ぎ忘れるという懸念を解消できる。したがって、補填貫通孔において確実に防水性を確保できる。
【００２１】
第８の発明では、前記屋根小梁と前記屋根防水シートとの間には屋根断熱材が設けられ、前記屋根断熱材における前記シート開口部の下方部分には断熱開口部が前記２つの屋根小梁に跨るように設けられており、前記アンカーボルト支持材は、前記断熱開口部において前記屋根小梁の上に配置されており、前記断熱開口部には、前記断熱開口部を塞ぐ補填断熱材が、前記アンカーボルト支持材を前記屋根小梁との間に挟んだ状態で設けられている。
【００２２】
第８の発明によれば、屋根断熱部の断熱開口部にアンカーボルト支持材が設けられている構成において、断熱開口部における部分断熱を補填断熱材により行うことができる。つまり、断熱開口部において断熱性能が低下することを抑制できる。しかも、補填断熱材は断熱開口部を塞ぐことで屋根断熱部と連続した状態とされているため、屋根において断熱を損なう隙間部分が屋根断熱材と補填断熱材との間に形成されることを抑制できる。
【図面の簡単な説明】
【００２３】
【図１】本実施形態におけるアンカーボルト周辺の屋根の構成を示す断面図。
【図２】アンカーボルト周辺の屋根の構成を示す分解斜視図。
【図３】アンカーボルト周辺の屋根の構成を示す平面図。
【発明を実施するための形態】
【００２４】
以下、本発明を具体化した一実施形態について図面を参照しつつ説明する。本実施形態では、本発明を屋根が陸屋根（フラット屋根）とされている建物にて具体化している。この屋根にはアンカーボルトが取り付けられており、屋根上に設置された太陽光パネル等の建物設備がアンカーボルトにより固定されている。図１はアンカーボルト３２周辺の屋根１０の構成を示す断面図、図２はアンカーボルト３２周辺の屋根１０の構成を示す分解斜視図である。なお、図２においては屋根１０の一部を抜粋して図示している。
【００２５】
図１、図２に示すように、住宅等の建物の屋根１０は、屋根フレームとしての屋根小梁２１と、屋根小梁２１の上に載置された屋根下地材としての野地板２２と、野地板２２の上に載置された屋根断熱材２３とを含んで構成されており、屋根１０の上面を形成する屋根面１０ａが略水平方向に延びている。
【００２６】
屋根小梁２１は、横断面が四角筒状の角形鋼管により長尺状に形成されており、その肉厚が例えば２．３ｍｍとされている。屋根小梁２１は屋根面１０ａに沿って延びるように配置されており、ブラケット等の連結部材を介して天井大梁等の大梁に複数連結されている。複数の屋根小梁２１は、屋根面１０ａに沿って平行に且つ横並びに配置されており、隣り合う屋根小梁２１同士は互いに離間している。
【００２７】
野地板２２は合板等により形成されており、屋根断熱材２３は硬質ウレタンフォーム等の発泡プラスチック系断熱材により板状に形成されている。野地板２２と屋根断熱材２３とは上下に重ねられており、それぞれ複数の屋根小梁２１に架け渡された状態とされている。屋根断熱材２３には防露処理が施されており、屋根断熱材２３での結露発生を抑制する機能を有している。
【００２８】
屋根断熱材２３の上には、屋根葺き材としての屋根防水シート２５が設けられている。屋根防水シート２５は屋根断熱材２３に沿って延びており、その上面が屋根面１０ａを形成している。屋根防水シート２５は、塩化ビニル等の耐水性を有する材料により形成されており、柔軟性を有している。
【００２９】
本実施形態では、屋根１０において、アンカーボルト３２を支持するアンカーボルト支持材３１が、隣り合う２つの屋根小梁２１に架け渡された状態でそれら屋根小梁２１に対して固定されている。これにより、アンカーボルト３２を介してアンカーボルト支持材３１に加えられる荷重を１つの屋根小梁２１ではなく２つの屋根小梁２１に分散させることができる。
【００３０】
ここで、屋根断熱材２３には、その屋根断熱材２３を上下に貫通する断熱開口部３５が設けられており、屋根防水シート２５には、その屋根防水シート２５を上下に貫通するシート開口部３６が設けられている。断熱開口部３５とシート開口部３６とは上下に連通しており、隣り合う屋根小梁２１に跨るようにそれぞれ形成されている。アンカーボルト支持材３１は、断熱開口部３５及びシート開口部３６に入り込んだ状態で野地板２２の上に載置されている。
【００３１】
アンカーボルト支持材３１は平面視略長方形状とされており、その長辺が屋根小梁２１と直交する方向に延びる長尺材とされている。この場合、アンカーボルト支持材３１の一端側が隣り合う屋根小梁２１のうち一方の上にあり、他端側が他方の上にある。
【００３２】
アンカーボルト支持材３１は、そのアンカーボルト支持材３１の下面を形成する略長方形状の平板部４１と、平板部４１から上方に起立した一対の起立部４２とを有しており、断面略コ字状とされている。アンカーボルト支持材３１は、略長方形状の板状鋼材が折り曲げられることにより形成されており、平板部４１及び起立部４２は、それぞれ２つの屋根小梁２１に架け渡された状態となっている。
【００３３】
平板部４１は野地板２２の上に重ねられており、野地板２２に沿って延びている。一対の起立部４２は互いに離間して対向しており、一方が平板部４１の長辺側の一端に配置され、他方が平板部４１の長辺側の他端に配置されている。この場合、起立部４２によりアンカーボルト支持材３１の剛性が高められており、特に、アンカーボルト支持材３１の上下方向に向けての変形が起立部４２により抑制される状態となっている。起立部４２の高さ寸法は屋根断熱材２３の厚み寸法とほぼ同じとされている。この場合、起立部４２の上端は屋根断熱材２３の上面とほぼ同じ高さ位置にある。
【００３４】
アンカーボルト支持材３１は、連結手段としてのビス４３により屋根小梁２１に連結されている。ビス４３は、アンカーボルト支持材３１と屋根小梁２１とが上下に重なっている部分において、アンカーボルト支持材３１の平板部４１と野地板２２とを貫通して屋根小梁２１に螺着されている。
【００３５】
平板部４１には、アンカーボルト３２を挿通させるボルト孔４５が複数形成されている。各ボルト孔４５は平板部４１を厚み方向に貫通しており、ボルト孔４５はアンカーボルト３２よりも少しだけ大きい直径を有している。複数のボルト孔４５は、平板部４１の長手方向に延びる中心線に沿って横並びに配置されている。この場合、各ボルト孔４５は、屋根小梁２１の並び方向に沿って並んでいることになる。
【００３６】
複数のボルト孔４５には、２つの屋根小梁２１の中央に配置されたボルト孔４５が含まれている。本実施形態では、アンカーボルト支持材３１の平板部４１にボルト孔４５が２つ形成されており、２つのボルト孔４５は互いに離間して配置されている。この場合、２つの屋根小梁２１の中央に配置されたボルト孔４５を第１ボルト孔４５ａとし、その隣のボルト孔４５を第２ボルト孔４５ｂとする。
【００３７】
アンカーボルト３２は第１ボルト孔４５ａに挿通されており、第１ボルト孔４５ａの下側には、アンカーボルト３２が螺着された固定ナット４６が設けられている。固定ナット４６は、平板部４１の下面に対して溶接等により固定されたウェルドナットとされている。この場合、野地板２２には、固定ナット４６を収容するナット収容孔４８が形成されている。
【００３８】
アンカーボルト支持材３１の平板部４１の上には、補填断熱材５１が載置されている。補填断熱材５１は、屋根断熱材２３と同様に発砲プラスチック系断熱材により板状に形成されており、屋根断熱材２３とほぼ同じ厚み寸法を有している。補填断熱材５１は、平面視で断熱開口部３５とほぼ同じ大きさ及び形状とされており、断熱開口部３５に入り込んだ状態でその断熱開口部３５を塞いでいる。この場合、屋根断熱材２３及び補填断熱材５１は、野地板２２の上において断熱層を一体的に形成していることになる。なお、補填断熱材５１には上下に貫通する貫通孔（図示略）が形成されており、アンカーボルト３２はその貫通孔を通じて補填断熱材５１を上下に貫通している。
【００３９】
補填断熱材５１の上には、補填防水シート５２が設けられている。補填防水シート５２は、屋根防水シート２５と同様に塩化ビニル等の耐水性を有する材料により形成されており、柔軟性を有している。補填防水シート５２は、シート開口部３６を覆うことが可能な大きさ及び形状とされており、シート開口部３６を上方から覆うとともにその周縁部が屋根防水シート２５の上に重ねられ、その状態で屋根防水シート２５と熱溶着等により接合されている。これにより、シート開口部３６に水が浸入することを阻止している。この場合、屋根防水シート２５及び補填防水シート５２は、屋根面１０ａ及び防水層を一体的に形成していることになる。
【００４０】
補填防水シート５２には、アンカーボルト３２を挿通させるための補填貫通孔５３が形成されている。補填貫通孔５３は、ボルト孔４５ａ，４５ｂの並び方向に延びる横長形状とされており、ボルト孔４５ａ，４５ｂに跨るように配置されている。この場合、補填貫通孔５３は、ボルト孔４５ａ，４５ｂのそれぞれと上下に並んだ状態とされており、シート開口部３６からはみ出ない大きさとされている。
【００４１】
アンカーボルト３２は、外周面の全体に雄ネジ部が形成された全ネジボルトとされている。アンカーボルト３２には、その外周面から径方向外側に突出した鍔状のボルトフランジ部５５が設けられている。アンカーボルト３２においては、ボルトフランジ部５５よりも下側の部分が、補填防水シート５２、補填断熱材５１、アンカーボルト支持材３１の平板部４１を上下に貫通した状態で第１ボルト孔４５ａに対いて固定されており、ボルトフランジ部５５よりも上側の部分が、補填防水シート５２（屋根面１０ａ）よりも上方に突出している。
【００４２】
ボルトフランジ部５５の下面側には、ボルト防水シート５６が設けられている。ボルト防水シート５６は、屋根防水シート２５と同様に塩化ビニル等の耐水性を有する材料により形成されており、柔軟性を有している。ボルト防水シート５６は、補填貫通孔５３を覆うことが可能な大きさ及び形状とされており、補填貫通孔５３を上方から覆うとともにその周縁部が補填防水シート５２の上に重ねられ、その状態で補填防水シート５２と熱溶着等により接合されている。これにより、補填貫通孔５３に水が浸入することを阻止している。また、ボルト防水シート５６は、結果として、第２ボルト孔４５ｂを上方から覆った状態となっている。
【００４３】
ボルトフランジ部５５の直径Ｔ１は、アンカーボルト支持材３１の起立部４２同士の離間距離Ｔ２より大きくされており、ボルトフランジ部５５の中心（アンカーボルト３２の中心）は起立部４２同士の中央に配置されている。この場合、ボルトフランジ部５５は、補填防水シート５２及びボルト防水シート５６を介して各起立部４２の上に載置されており、屋根面１０ａと平行に延びた状態で各起立部４２により下方から支持された状態となっている。
【００４４】
なお、アンカーボルト支持材３１の平板部４１には、ボルトフランジ部５５を下方から支持する支持部材が設けられている。支持部材は例えば上下に重ねられた複数のナットを含んで構成されている。また、アンカーボルト３２、ボルトフランジ部５５及びボルト防水シート５６は１つのアセンブリとして一体的に形成されており、そのアセンブリにより防水アンカーが構成されている。
【００４５】
アンカーボルト支持材３１は２つの屋根小梁２１の上に載置される構成であるため、アンカーボルト支持材３１を介してアンカーボルト３２を既設建物の屋根１０に取り付けることができる。ここでは、アンカーボルト３２を既設建物の屋根１０に取り付ける手順について説明する。
【００４６】
まず、アンカーボルト支持材３１の取り付け位置に合わせて、屋根防水シート２５及び屋根断熱材２３の一部を取り除いてシート開口部３６及び断熱開口部３５を形成し、野地板２２を露出させるとともにその野地板２２にナット収容孔４８を形成する。次に、シート開口部３６及び断熱開口部３５にアンカーボルト支持材３１を上方から挿し入れ、シート開口部３６及び断熱開口部３５内においてアンカーボルト支持材３１の平板部４１に補填断熱材５１を載置する。そして、補填防水シート５２をシート開口部３６の上に敷設し、ボルト防水シート５６が補填貫通孔５３を覆うようにアンカーボルト３２を第１ボルト孔４５ａに挿通させ、固定ナット４６に螺着させる。
【００４７】
以上の手順により、アンカーボルト３２を２つの屋根小梁２１に対して固定することにより、建物設備からアンカーボルト３２を介して１つの屋根小梁２１に加えられる荷重を、アンカーボルト３２が１つの屋根小梁２１に対して固定される構成に比べて小さくできる。したがって、屋根小梁２１を支持強度の大きい新規の屋根小梁２１（肉厚が例えば３．２ｍｍの屋根小梁）に取り替えるという大掛かりな工事を行う必要がない。
【００４８】
ここで、アンカーボルト支持材３１に設けられたボルト孔４５ａ，４５ｂの使い分けについて、図３を参照しつつ説明する。図３はアンカーボルト３２周辺の屋根１０の構成を示す平面図である。図３においては、（ａ）に互いの離間距離が第１寸法Ｗ１とされた２つの屋根小梁２１を示し、（ｂ）に互いの離間距離が第２寸法Ｗ２とされた２つの屋根小梁２１を示す。
【００４９】
上述したように、図３（ａ）において、互いの離間距離が第１寸法Ｗ１（例えば５００ｍｍ）とされた２つの屋根小梁２１については、アンカーボルト３２がアンカーボルト支持材３１の第１ボルト孔４５ａに固定されている。この場合、アンカーボルト３２は、２つの屋根小梁２１の中央に配置されている。ここで、アンカーボルト支持材３１は、屋根小梁２１の並び方向において、２つの屋根小梁２１のうち一方（例えば図３（ａ）の左側の屋根小梁２１）の中心線を基準として設定された位置に取り付けられている。
【００５０】
これに対して、図３（ｂ）おいては、２つの屋根小梁２１の離間距離が第１寸法Ｗ１より小さい第２寸法Ｗ２（例えば３７５ｍｍ）とされており、アンカーボルト３２が第１ボルト孔４５ａではなく第２ボルト孔４５ｂに固定されている。第２ボルト孔４５ｂは２つの屋根小梁２１の中央にあり、アンカーボルト３２は第２ボルト孔４５ｂに対して固定されることでそれら屋根小梁２１の中央に配置されている。
【００５１】
アンカーボルト支持材３１は、屋根小梁２１の並び方向において、２つの屋根小梁２１のうち一方（例えば図３（ｂ）の左側の屋根小梁２１）の中心線を基準とした場合のその中心線との位置関係が、屋根小梁２１同士の離間距離が第１寸法Ｗ１である場合と同じとなる位置に取り付けられている。したがって、第２ボルト孔４５ｂは、アンカーボルト支持材３１において、そのアンカーボルト支持材３１が互いの離間距離が第２寸法Ｗ２とされた２つの屋根小梁２１に取り付けられた状態でそれら屋根小梁２１の中央に当たる位置に設けられている。また、この場合、アンカーボルト支持材３１は、２つの屋根小梁２１の離間距離に対して余剰長さを有していることになり、その余剰部分はアンカーボルト支持材３１の位置合わせの基準ではない方の屋根小梁２１側に配置されている。
【００５２】
シート開口部３６及び断熱開口部３５は、アンカーボルト支持材３１の位置に合わせて屋根防水シート２５及び屋根断熱材２３にそれぞれ形成され、それらシート開口部３６及び断熱開口部３５に対して補填断熱材５１及び補填防水シート５２が取り付けられている。
【００５３】
ボルト防水シート５６は、屋根小梁２１同士の離間距離が第１寸法Ｗ１である場合と同様に、補填貫通孔５３を上方から覆うとともにその周縁部が補填防水シート５２の上に重なるように取り付けられている。この場合、ボルト防水シート５６は、結果として、第１ボルト孔４５ａを上方から覆った状態となっている。
【００５４】
以上詳述した本実施形態によれば、以下の優れた効果が得られる。
【００５５】
アンカーボルト支持材３１が２つの屋根小梁２１に跨った状態とされているため、建物設からアンカーボルト３２に加えられる荷重を２つの屋根小梁２１に分散させることができる。しかも、アンカーボルト支持材３１には、アンカーボルト３２を固定可能な複数のボルト孔４５ａ，４５ｂが設けられているため、それらボルト孔４５ａ，４５ｂのうち２つの屋根小梁２１の略中央にある第１ボルト孔４５ａにアンカーボルト３２を固定することが可能となる。これにより、２つの屋根小梁２１に加えられる荷重を均等にすることができる。この場合、片方の屋根小梁２１に加えられる荷重が、アンカーボルト３２に加えられる荷重よりも確実に小さくされるため、屋根小梁２１の強度変更を行わなくても、屋根１０上に設置される建物設備に対する屋根１０の耐荷重強度を高めることができる。
【００５６】
アンカーボルト支持材３１において、ボルト孔４５ａ，４５ｂは屋根小梁２１の並び方向に沿って並べて配置されているため、２つの屋根小梁２１の離間距離に合わせていずれかをアンカーボルト３２の固定先として選択することにより、アンカーボルト３２を２つの屋根小梁２１の中央に配置できる。
【００５７】
２つの屋根小梁２１のうち一方を基準として、屋根小梁２１の並び方向におけるアンカーボルト支持材３１の取り付け位置が設定された場合に、結果として、第１ボルト孔４５ａが２つの屋根小梁２１の中央に配置される。この場合、２つの屋根小梁２１の中央に第１ボルト孔４５ａが配置されるようにアンカーボルト支持材３１の位置決めを行う必要がないため、アンカーボルト支持材３１の取り付け作業の容易化を図ることができる。
【００５８】
屋根防水シート２５のシート開口部３６を塞ぐ補填防水シート５２に形成された補填貫通孔５３は、ボルト孔４５ａ，４５ｂの両方の上方に配置されている。このため、アンカーボルト３２の固定先がボルト孔４５ａ，４５ｂのいずれであっても、アンカーボルト３２が補填貫通孔５３を通じて補填防水シート５２の上方に突出する構成を実現できる。したがって、補填防水シート５２の敷設作業に際して、アンカーボルト３２の固定位置に合わせて補填防水シート５２に孔を形成するという手間を省くことができる。これにより、補填防水シート５２の敷設作業の容易化を図ることができる。
【００５９】
補填防水シート５２の補填貫通孔５３におけるアンカーボルト３２が挿通されていない部分がボルト防水シート５６により上方から覆われているため、アンカーボルト３２の固定先がボルト孔４５ａ，４５ｂのいずれであっても、補填貫通孔５３に水が浸入することを防止できる。しかも、ボルト防水シート５６はアンカーボルト３２に対して一体的に設けられているため、アンカーボルト３２の取り付けに伴ってボルト防水シート５６を補填防水シート５２に取り付けることができる。つまり、ボルト防水シート５６の取り付け作業を容易化できる。
【００６０】
補填貫通孔５３は、ボルト孔４５ａ，４５ｂに跨るように配置されているため、アンカーボルト３２は、その固定先がボルト孔４５ａ，４５ｂのいずれであっても１つの補填貫通孔５３に挿通されることになる。例えば、ボルト防水シート５６の取り付け作業を行う際に、補填貫通孔５３がボルト孔４５ａ，４５ｂに対応させて複数設けられている場合とは異なり、アンカーボルト３２が固定されていないボルト孔の上方において補填貫通孔５３を塞ぎ忘れるという懸念を解消できる。したがって、補填貫通孔５３において確実に防水性を確保できる。
【００６１】
アンカーボルト支持材３１は起立部４２により剛性が高められている。したがって、２つの屋根小梁２１に架け渡された状態のアンカーボルト支持材３１のアンカーボルト３２に対する支持強度を高めることができる。さらに、起立部４２は補填防水シート５２及びボルト防水シート５６を挟んでボルトフランジ部５５を下方から支持することが可能となるため、ボルトフランジ部５５を屋根面１０ａと平行な状態で保持できる。したがって、ボルトフランジ部５５が屋根面１０ａに対して傾くことを、そのボルトフランジ部５５を各起立部４２の上に載せるという簡易な作業により抑制できる。さらに、建物設備からボルトフランジ部５５に加えられた荷重により起立部４２周辺において屋根面１０ａが下方に凹むことを抑制できる。
【００６２】
アンカーボルト支持材３１においてボルト孔４５ａ，４５ｂは、アンカーボルト３２より少しだけ大きくされているため、例えば、ボルト孔４５ａ，４５ｂが複数のアンカーボルト３２を同時に挿通可能な大きさとされている場合とは異なり、アンカーボルト支持材３１の平板部４１の下面に固定ナット４６を固定することが容易となる。
【００６３】
屋根断熱材２３の断熱開口部３５にアンカーボルト支持材３１が設けられている構成において、断熱開口部３５における部分断熱が補填断熱材５１により行われているため、断熱開口部３５において断熱性能が低下することを抑制できる。しかも、補填断熱材５１が断熱開口部３５を塞いでいるため、屋根断熱材２３と補填断熱材５１とが連続した状態とされており、屋根１０において断熱を損なう隙間部分が屋根断熱材２３と補填断熱材５１との間に形成されることを抑制できる。
【００６４】
（他の実施形態）
本発明は上記実施形態の記載内容に限定されず、例えば次のように実施してもよい。
【００６５】
（１）アンカーボルト支持材３１に設けられるボルト孔４５は３つ以上でもよい。また、ボルト孔４５は１つでもよい。ボルト孔４５が１つの場合でも、ボルト孔４５が２つの屋根小梁２１の中央に配置されるようにアンカーボルト支持材３１の取り付け位置を設定することにより、アンカーボルト３２を２つの屋根小梁２１の中央に固定できる。
【００６６】
（２）アンカーボルト支持材３１は、略正方形状の板材により形成されていてもよく、柱状の長尺材により形成されていてもよい。要は、アンカーボルト支持材３１は、２つの屋根小梁２１に架け渡すことが可能であり、上下に貫通するボルト孔４５を有していればよい。
【００６７】
（３）アンカーボルト支持材３１は、屋根小梁２１の上に直接載置されていてもよい。この場合、屋根防水シート２５のシート開口部３６の位置や大きさ、形状に合わせて屋根小梁２１に開口部が形成されており、その開口部に入り込んだ状態でアンカーボルト支持材３１が屋根小梁２１の上に載置された構成とされることが好ましい。
【００６８】
（４）アンカーボルト支持材３１において起立部４２は、平板部４１における短手方向の中央に配置されていてもよい。また、平板部４１の２つの長辺のうち一方に設けられていてもよい。いずれの場合でも、起立部４２によりアンカーボルト支持材３１の支持強度を高めることができる。
【００６９】
（５）屋根防水シート２５は、例えば塩化ビニル被覆鋼板からなる防水鋼板を含んで構成されていてもよい。例えば、シート状の防水材と板状の防水材とが重ねられて形成されていてもよい。これは、補填防水シート５２やボルト防水シート５６についても同様である。
【００７０】
（６）屋根１０の屋根面１０ａは、屋根防水シート２５ではなく、ガルバリウム等の化粧板により形成されていてもよい。例えば、屋根防水シート２５の上に化粧板が設けられている構成とする。この場合、シート開口部３６の位置や大きさ、形状に合わせて化粧板に開口部が形成されており、その開口部に入り込んだ状態でアンカーボルト支持材３１が屋根小梁２１の上に載置された構成とされることが好ましい。
【００７１】
（７）屋根下地材としての野地板２２の下側に屋根断熱材２３が設けられていてもよい。例えば、野地板２２の上に屋根防水シート２５が直接敷設され、シート開口部３６においてアンカーボルト支持材３１の上に補填防水シート５２が直接敷設されている構成とする。
【００７２】
（８）補填防水シート５２は、屋根防水シート２５と接合されていれば屋根防水シート２５の上に重ねられていなくてもよい。例えば、補填防水シート５２と補填防水シート５２との端部同士が突き合わされた状態で互いに溶着等により接合されている構成とする。
【００７３】
（９）補填防水シート５２には、補填貫通孔５３がボルト孔４５ａ，４５ｂに対応させて複数設けられていてもよい。
【符号の説明】
【００７４】
１０…屋根、１０ａ…屋根面、２１…屋根小梁、２３…屋根断熱材、２４…防水部分を形成する屋根防水シート、３１…アンカーボルト支持材、３２…アンカーボルト、３６…シート開口部、４１…平板部、４２…起立部、４５…ボルト孔、４５ａ…第１ボルト孔、４５ｂ…第２ボルト孔、５１…補填断熱材、５２…補填防水シート、５３…補填貫通孔、５５…ボルトフランジ部、５６…ボルト防水シート。
【図１】
0005657419.tif 000002
【図２】
0005657419.tif 000003
【図３】
0005657419.tif 000004